(57)【特許請求の範囲】
【請求項１】
相互に連結される複数のプレキャストコンクリート製の塀ユニットからなり、該塀ユニットは、本体の下部を一方の外側に突出する幅広部とした断面Ｌ字形に形成し、前記幅広部の上部に、水抜孔を有し上面開放の凹部を設け、該凹部の上方に位置させて本体の上端縁に散水手段を設け、本体の下部に基礎取付孔を設け、該基礎取付孔に連通するモルタル等の充填材の注入孔と、該注入孔の上方に位置するエア抜き孔とを設け、現場打設によるコンクリート製で壁状の基礎を前記基礎取付孔に挿入し、注入孔からモルタル等の充填材を注入して該充填材を介して塀ユニットと基礎とを一体化することを特徴とする防火塀。
【発明の詳細な説明】
【０００１】
【発明の属する技術分野】
本発明は、給油所等に構築する防火塀に関するものである。
【０００２】
【従来の技術】
ガソリンなどの可燃性危険物を取り扱う給油所などでは、その敷地の周囲を防火塀で囲むことが義務付けられており、この防火塀は、従来、現場打ちの鉄筋コンクリートで作られていた。
【０００３】
この鉄筋コンクリート製の防火塀は、現場で型枠を組み、この型枠内にコンクリートを打設するもので、打設後、数日経過しコンクリートが固化してから脱型するものであるために、現場での多くの工程と日数を要していた。
【０００４】
そこで、かかる不都合を解消するものとして、例えば出願人が先に出願した特開平9-287322号公報に記載のように、金属製のフレームにサイディングボートによる不燃板を取り付けた塀ユニットを予め工場において製作し、この塀ユニットの複数を、現場に搬入し、別途、設置場所に構築したコンクリート基礎の柱脚部挿入孔に前記塀ユニットの金属製フレームの柱脚部を挿入するとともに、塀ユニットを相互に結合して防火塀を組み立てるものがある。
【０００５】
【発明が解決しようとする課題】
特開平9-287322号公報に記載のものは、フレームに不燃板を取り付けるものであるため、そのための組立工程を要し、作業工数が増し、部材も不燃板とは別にフレームを必要としてコスト高ともなる。
【０００６】
また、サイディングボートによる不燃板は薄いために、自動車が衝突するなどすると、簡単に損傷するおそれがあり、強度的に信頼性の低いものであった。
【０００７】
本発明の目的は前記従来例の不都合を解消し、構造簡単で、容易かつ安価に製作でき、しかも、現場に簡単に設置でき、強度的にも信頼性の高い防火塀を提供することにある。
【０００８】
【課題を解決するための手段】
本発明は前記目的を達成するため、相互に連結される複数のプレキャストコンクリート製の塀ユニットからなり、該塀ユニットは、本体の下部を一方の外側に突出する幅広部とした断面Ｌ字形に形成し、前記幅広部の上部に、水抜孔を有し上面開放の凹部を設け、該凹部の上方に位置させて本体の上端縁に散水手段を設け、本体の下部に基礎取付孔を設け、該基礎取付孔に連通するモルタル等の充填材の注入孔と、該注入孔の上方に位置するエア抜き孔とを設け、現場打設によるコンクリート製で壁状の基礎を前記基礎取付孔に挿入し、注入孔からモルタル等の充填材を注入して該充填材を介して塀ユニットと基礎とを一体化することを要旨とするものである。
【０００９】
請求項１記載の本発明によれば、塀ユニットをプレキャストコンクリート製とし、本体の下部を外側に突出する幅広部としたから、設置現場には特に基礎を築造しなくとも、この塀ユニットを連続させて置くだけで安定した状態に設置でき、現場での作業なしで簡単に防火塀を構築できる。また、コンクリート製であることに加えて幅広部により強度を得ることができ、自動車が衝突しても簡単には損傷しない。
【００１０】
幅広部の上面に形成した凹部は、ここに植栽を設けることもでき、さらに防火作用が期待できるだけでなく、見栄えもよくなる。そして、植栽を設けた場合、水抜孔を凹部に設けてあるから、根腐れを防止できて植物の生育は順調に行われる。
【００１２】
さらに、防火塀を基礎の上に築造する場合であっても、設置場所に現場打設によるコンクリート製で壁状の簡単な基礎を構築しておけば、この基礎の上に塀ユニットをセットするだけで、基礎は本体の下部に設けた基礎取付孔の内部に挿入するから、この状態で基礎取付孔内にモルタル等の充填材の注入孔から充填材を注入すれば、該充填材により塀ユニットが基礎に一体化され、設置場所に確実に固定される。充填材の注入は、注入孔の上方に位置させてエア抜き孔を設けてあるから、スムーズに行える。
【００１３】
【発明の実施の形態】
以下、図面について本発明の実施の形態を詳細に説明する。図１は本発明の防火塀の第１実施形態を示す縦断側面図で、まず、図３について本発明の防火塀が設置される給油所の全体構成を説明する。給油所は周知のように、敷地１への出入口となる道路に面した側を除く三方を防火塀２で囲んであり、敷地１内に給油装置３を設置するとともに事務所等の建物４を構築してある。
【００１４】
かかる防火塀２は、図１、図２に示すように相互に連結される複数の塀ユニット５からなる。この塀ユニット５は、工場で製作される軽量コンクリート製であり、横長の直方体形状の本体５ａの下部を一方の外側に突出する幅広部５ｂとした断面Ｌ字形に形成した。そして、前記幅広部５ｂの上部に、上面開放の直方体形状の凹部７を設け、該凹部７の上方に位置させて本体５ａの上端縁に散水ノズルなどの散水手段８を設けた。
【００１５】
図中６は水抜孔を示し、一端が前記凹部７の内部に開口し、他端が幅広部５ｂの突出側の外面に開口する。該水抜孔６および散水手段８の設置数は図示の例では１つの塀ユニット５当たり、それぞれ適宜間隔をおいて２個ずつ配設したが、これに限定されるものではなく、塀ユニット５のサイズなどを考慮して個数や間隔を任意に決定すればよい。また、凹部７の形状も直方体形状に限定されない。
【００２３】
さらに、幅広部５ｂの突出側とは反対側に位置させて、本体５ａの下部に、底部が開口する基礎取付孔12を設けた。この基礎取付孔12は図１に示すように一例として断面縦長の直方体形状に形成し、高さは幅広部５ｂの高さより僅かに低くする。
【００２４】
そして、この基礎取付孔12に連通するモルタル等の充填材の注入孔13と、該注入孔13の上方に位置するエア抜き孔14とを本体５ａの外側面に一端が開口するようにして設ける。
【００１６】
かかる塀ユニット５を用いて給油所の敷地の周囲に防火塀２を構築するには、工場製作の塀ユニット５の複数を構築現場にトラックなどで搬入し、隣接の敷地との境界位置に連続させて置く。
【００２５】
この場合、構築場所に予め基礎15を構築しておく。この基礎15は図１にも示すように基礎取付孔12内に挿入される形状の例えば現場打設によるコンクリート製で壁状のものとし、該基礎15の上に被せるようにして基礎取付孔12内に基礎15を挿入し、塀ユニット５を地上面に設置する。
【００２６】
次いで、注入孔13からモルタル等の充填材を注入し、該充填材と基礎15とを一体化する。充填材の注入時、基礎取付孔12内の空気はエア抜き孔14から塀ユニット５の外部に排出されるから、注入は支障なく行われる。これにより、充填材を介して塀ユニット５が基礎15と一体化し、基礎15に確実に固定される。
【００１７】
塀ユニット５は下部が幅広部５ｂに形成してあるから、これを地上に置くだけで安定状態で設置できる。この場合、幅広部５ｂの突出部を敷地１の内側に向くようにし、凹部７に植栽９を設ければ、給油所の美化を図ることができる。また、塀ユニット５はコンクリート製で、しかも幅広部５ｂが地上面に設置されることで、自動車が防火塀に衝突した場合、衝撃は幅広部５ｂで吸収され防火塀が大きく損傷することはない。
【００１８】
凹部７に植栽９を設けた場合、上方の散水手段８から植物に水を供給でき、植物を生育できる。供給された余分な水は水抜孔６から塀ユニット５の外部に排出されるから、植物に根腐れなどが発生することを防げる。
【００１９】
また、給油所で火災が発生した場合などは、散水手段８から散水することで消火に役立ち、隣接の建物などへの延焼を防ぐこともできる。
【００２７】
【発明の効果】
以上述べたように本発明の防火塀は、プレキャストコンクリート製としたから、構造簡単で、容易かつ安価に製作でき、しかも、組立作業などが不要であり現場には置くだけで簡単に設置でき、強度的にも信頼性の高いものが得られるものである。
【図面の簡単な説明】
【図１】  本発明の防火塀の実施形態を示す縦断側面図である。
【図２】  本発明の防火塀の実施形態を示す斜視図である。
【図３】    本発明の防火塀を設置した給油所の全体斜視図である。
【符号の説明】
１…敷地                        ２…防火塀
３…給油装置                    ４…建物
５  …塀ユニット                ５ａ…本体
５ｂ…幅広部                    ６…水抜孔
７…凹部                        ８…散水手段
９…植栽                        12…基礎取付孔
13…注入孔                      14…エア抜き孔
15…基礎
【図１】
0003743267.tif 000002
【図２】
0003743267.tif 000003
【図３】
0003743267.tif 000004